(57)【要約】【課題】薬液という心理的不安なしに人体洗浄ノズルを除菌洗浄できる衛生洗浄装置を提供する。【解決手段】人体を洗浄するための洗浄水を吐出する人体洗浄ノズル１８、１９と、その吐出口４４、４５の外側表面に高温水と蒸気とを吐出して除菌洗浄する除菌洗浄手段４７を有する構成で、薬液という心理的不安なしに人体洗浄ノズルを除菌できる衛生洗浄装置を提供することができる。【選択図】  図１
2004285730.tif 000002
【特許請求の範囲】
【請求項１】
人体を洗浄するための洗浄水を吐出する吐出口を有する人体洗浄ノズルと、少なくとも前記人体洗浄ノズルに高温水と蒸気とを吐出する高温水または蒸気除菌洗浄手段を有する衛生洗浄装置。
【請求項２】
人体を洗浄するための洗浄水を吐出する吐出口を有する人体洗浄ノズルと、少なくとも前記人体洗浄ノズルに水と高温水と蒸気とを吐出する水または高温水または蒸気除菌洗浄手段を有する衛生洗浄装置。
【請求項３】
人体を洗浄するための洗浄水を吐出する吐出口を有する人体洗浄ノズルと、少なくとも前記人体洗浄ノズルに蒸気吐出した後に水を吐出する蒸気または水除菌洗浄手段を有する衛生洗浄装置。
【請求項４】
除菌洗浄手段は、人体を洗浄する洗浄水を人体洗浄ノズルに供給する経路途中の温水ユニットおよび切換弁の２次側でかつ前記人体洗浄ノズルには通じない別の分岐経路に設けられた高温水または蒸気発生ユニットと、前記温水ユニット、前記切換弁、前記高温水または蒸気発生ユニットへの通電制御により水または高温水または蒸気のいずれかの状態に順次切替えて除菌洗浄する除菌洗浄制御手段を備えた請求項１〜３のいずれか１項記載の衛生洗浄装置。
【請求項５】
人体洗浄ノズルが通常は衛生洗浄装置の本体の内に収納され、人体洗浄時に衛生洗浄装置の本体から突出するものであって、除菌洗浄時に蒸気や高温水が人体に当たらないように、前記人体洗浄ノズルが衛生洗浄装置の本体の内に収納状態のとき以外は除菌洗浄の運転作動を禁止する請求項１〜４のいずれか１項記載の衛生洗浄装置。
【発明の詳細な説明】
【０００１】
【発明の属する技術分野】
本発明は、人体を洗浄する衛生洗浄装置に関するものである。
【０００２】
【従来の技術】
従来、この種衛生洗浄装置は、肛門洗浄用およびビデ洗浄用の洗浄水噴出端、いわゆる洗浄用のノズルヘッドの周面に付着している汚物等を、前記洗浄水で洗い流すときに表示灯の点滅や液晶画面による文字表示またはスピーカによる音声によって報知するものが提案されている（例えば、特許文献１参照）。
【０００３】
図１６は、前記公報に記載された従来の衛生洗浄装置を示すものである。  図１６において、１０３はノズル本体、１０４はノズルヘッド、１０５は駆動モータ、１０６ａはバルブユニット、１０６ｂはバルブユニット、１０７はコントローラである。
【０００４】
また、洗浄水に薬液を注入するか、電気分解によって洗浄水を薬液化してノズルヘッドを殺菌および消毒するものが提案されている（例えば、特許文献２参照）。
【０００５】
図１７は、前記公報に記載された従来の衛生洗浄装置を示すものである。図１７において、１０３はノズル本体、１０４はノズルヘッド、１０５はモータ、１０６はクリーニングキャップ、１０７ｃはバルブユニット、１０８は薬液カートリッジである。
【０００６】
【特許文献１】
特開平５−７９０８５号公報（第２−６頁、図３、図４、図７）
【特許文献２】
特開平８−９３０３４号公報（第４−６頁、図４）
【０００７】
【発明が解決しようとする課題】
近年、住環境が高度化し、年間を通じて室内の温度湿度の変化が少なくなっている。このことは反面、菌類やかび類の増殖に適した環境となっている。近年、普及している衛生洗浄便座装置は、暖房便座や湯水を吐出する人体洗浄ノズルを備えているため、衛生洗浄装置が温暖、高湿に保たれる。そのため、便座装置やそれに付随する構成部材にはカビや細菌（たとえば大腸菌やレジオネラ菌等）の増殖による汚染や、ヌメリ状態が発生し、非衛生的になりやすい場合があるのではと心配する人もいる。特に人体洗浄ノズルは便器内に突出したり衛生洗浄装置内に収納されたりする部分であり、かつその人体洗浄ノズルから吐出される湯水で人体のデリケートな局部を洗浄するだけに、最も清潔性が要求される。
【０００８】
しかしながら、前記特許文献１の従来の構成ではノズルに付着した汚物等の汚れは洗い流すことはできても、温水または水でノズルヘッド周面を洗い流すだけなので、いわゆる除菌や殺菌をすることまではできなかった。
【０００９】
一方、前記特許文献２に、洗浄水に薬液を注入または電気分解によって洗浄水を薬液化してノズルヘッドを殺菌および消毒する構成が提案されているが、使用者からすると、薬液洗浄の後に水ですすぎ洗いされても、薬液が残留しているのではないだろうかという心理的不安が残る。したがって、肌の弱い人等には不安が残るという課題を有していた。
【００１０】
本発明は上記の課題を解決するもので、薬液という心理的不安なしに人体洗浄ノズルを除菌洗浄できる衛生洗浄装置を提供することを目的とする。
【００１１】
【課題を解決するための手段】
前記従来の課題を解決するために本発明は、人体を洗浄するための洗浄水を吐出する吐出口を有する人体洗浄ノズルと、少なくとも前記人体洗浄ノズルに高温水と蒸気とを吐出する高温水または蒸気除菌洗浄手段を有する衛生洗浄装置である。
【００１２】
本発明によれば、洗浄水に薬液を注入したり電気分解して薬液化することがなく、水を加熱して除菌効果のある高温水および蒸気にする高温水または蒸気除菌洗浄手段によって人体洗浄ノズルに前記高温水および蒸気を吐出し、熱と洗い流す作用とで人体洗浄ノズルを除菌するように作用する。
【００１３】
【発明の実施の形態】
請求項１に記載の発明は、人体を洗浄するための洗浄水を吐出する吐出口を有する人体洗浄ノズルと、少なくとも前記人体洗浄ノズルに高温水と蒸気とを吐出する高温水または蒸気除菌洗浄手段を有する衛生洗浄装置である。この構成により、洗浄水に薬液を注入したり電気分解して薬液化することがなく、水を加熱して除菌効果のある高温水および蒸気にする高温水または蒸気除菌洗浄手段によって人体洗浄ノズルを前記高温水および蒸気で除菌するように作用するため、使用者は薬液という心理的不安なしに人体洗浄ノズルを除菌できる衛生洗浄装置を提供することができる。しかも、高温水と蒸気とを使用して除菌するので例えば高温水が人体洗浄ノズル表面で行き届かない部分があったとしても蒸気は人体洗浄ノズル表面の各部に十分到達して接触するように作用し、高温水と蒸気の双方が補完し合ってより確実に除菌することができる。
【００１４】
請求項２に記載の発明は、人体を洗浄するための洗浄水を吐出する吐出口を有する人体洗浄ノズルと、少なくとも前記人体洗浄ノズルに水と高温水と蒸気とを吐出する水または高温水または蒸気除菌洗浄手段を有する衛生洗浄装置である。この構成により、洗浄水に薬液を注入したり電気分解して薬液化することがなく、水を加熱して除菌効果のある高温水および蒸気にする水または高温水または蒸気除菌洗浄手段によって人体洗浄ノズルを前記高温水および蒸気で除菌するように作用するため、使用者は薬液という心理的不安なしに人体洗浄ノズルを除菌できる衛生洗浄装置を提供することができる。しかも、水と高温水と蒸気とを使用して除菌洗浄するので請求項１と同様に例えば高温水が人体洗浄ノズル表面で行き届かない部分があったとしても蒸気は人体洗浄ノズル表面の各部に十分到達して接触するように作用し、高温水と蒸気の双方が補完し合ってより確実に除菌することができる。かつ高温水と蒸気だけでなく水を併用することにより、洗浄水の通路部を必要以上に長時間高温に保つことなく水で冷却されるので、水を高温に加熱することによって析出されるスケールが、前記通路部に堆積付着するのを軽減するように作用するため、スケール付着を抑制して耐久寿命を長くすることができる。
【００１５】
請求項３に記載の発明は、人体を洗浄するための洗浄水を吐出する吐出口を有する人体洗浄ノズルと、少なくとも前記人体洗浄ノズルに蒸気吐出した後に水を吐出する蒸気または水除菌洗浄手段を備えているので、洗浄水に薬液を注入したり電気分解して薬液化することがなく、水を加熱して除菌効果のある蒸気にする蒸気または水除菌洗浄手段によって人体洗浄ノズルを前記蒸気で除菌し、かつ蒸気によって汚れをやわらかく膨潤（ふやかす）させる。そのふやけて剥離しやすくなった汚れおよび汚れ中の雑菌を蒸気の後に吐出する水で洗浄除去するように作用するため、使用者は薬液という心理的不安なしに人体洗浄ノズルを除菌洗浄できる衛生洗浄装置を提供することができる。
【００１６】
請求項４に記載の発明は、特に、請求項１〜３に記載の発明において各除菌洗浄手段は、人体を洗浄する洗浄水を人体洗浄ノズルに供給する経路途中の温水ユニットおよび切換弁の２次側でかつ前記人体洗浄ノズルには通じない別の分岐経路に設けられた高温水または蒸気発生ユニットと、前記温水ユニット、前記切換弁、前記高温水または蒸気発生ユニットへの通電制御により水または高温水または蒸気のいずれかの状態に準時切替えて除菌洗浄する除菌洗浄制御手段を備えた構成である。この構成により、高温水または蒸気発生ユニットは人体洗浄ノズルには通じない別の分岐経路に設けられているため、高温水および蒸気が人体洗浄ノズルから吐出して人体に当ることがなく、安心して人体洗浄ノズルを除菌洗浄することができる。また、洗浄水を人体洗浄ノズルに供給する経路を構成する材料や途中の温水ユニット、および切換弁の構成材料は特別な耐熱材料にする必要がない。
【００１７】
請求項５に記載の発明は、特に、請求項１〜４に記載の発明において人体洗浄ノズルが通常は衛生洗浄装置の本体の内に収納され、人体洗浄時に衛生洗浄装置の本体から突出するものであって、除菌洗浄時に蒸気や高温水が人体に当たらないように、前記人体洗浄ノズルが衛生洗浄装置の本体の内に収納状態のとき以外は除菌洗浄の運転作動を禁止する構成である。この構成により、使用者が人体洗浄ノズルで人体洗浄しているとき、例えば誤って除菌洗浄を指示する操作ボタンを押しても、除菌洗浄の運転作動はしないため、使用者はやけどなどの心配が無く安心して使用することができる。
【００１８】
【実施例】
以下、本発明の実施例について、図面を参照しながら説明する。
【００１９】
（実施例１）
図１は本発明の実施例１における衛生洗浄装置の外観を示すものである。図１において、衛生洗浄装置としての温水洗浄便座１０は便器１１上に設置され、衛生洗浄装置の本体１２、便蓋１３、使用者が座るための便座１４等から構成されており、また水道から洗浄水の供給を受けるための給水配管（図３の２７に示す）および壁面のコンセントから電源供給を受けるための電気ケーブル１５が備えてある。また、衛生洗浄装置１０の内部には使用者が肛門の洗浄を行うためのおしり洗浄機能、小用後の女性局部を洗浄するビデ洗浄機能、洗浄後の人体局部を乾燥するための乾燥機能、寒冷時にトイレ空間を暖房する部屋暖房機能等が備えてあり、各々の操作は壁面に取り付けたリモートコントローラ１６（以下、リモコンと略す）によってなされる。また、便座１４には使用者の存在を検知する検知手段としての着座センサー１７を備えている。なお、この着座センサー１７は、赤外線を用いて使用者の便座１４への着座の有無を検知するものであるが、方式としては便座の静電容量を検知する方式や、さらには赤外線や超音波等を用いて使用者の便座への着座を検知する、もしくはトイレルームに入室、退室したことを検知する方式、さらには例えばトイレの照明に連動して使用者の存在を検知する方式等でも検知手段としての応用が可能である。
【００２０】
次に図２はリモコン１６の概観を示すものである。図２においてリモコン１６には人体洗浄ノズルであるお尻ノズル１８およびビデノズル１９の除菌洗浄を指示する除菌洗浄スイッチ２０、使用者が人体洗浄の開始を入力可能な開始手段としてのおしりスイッチ２１、女性が小用後や生理時に主に用いるビデスイッチ２２や洗浄の停止を入力する停止手段としての停止スイッチ２３、さらには乾燥機能や脱臭機能の入り切りを行う乾燥スイッチ２４や脱臭スイッチ２５、また、それぞれの機能のレベルあわせを行うためのレベルスイッチ２６等が備えられている。そして使用者が行う操作信号は赤外線信号によって温水洗浄便座の本体１２へと送られ、無線で本体１２の操作が可能な構成となっている。
【００２１】
図３は本実施例における衛生洗浄装置１０の水回路を示すブロック図、図４、図５、図６は同切換弁を示す構成図、図７、図８は高温水または蒸気発生ユニットおよび人体洗浄ノズルを示す要部断面図である。図において、まず、水源である水道配管２７からの分岐流れを衛生洗浄装置１０の本体１２内の切換弁３３へ導く給水管２８に接続される。この給水管２８上には止水手段としての電磁弁２９、洗浄水の流量を計測する流量センサ３０、温水をつくる温水ユニット３１、温水の温度を検出する温度センサ３２などを備えている。
【００２２】
温水ユニット３１は板状のセラミックヒータとその両面に設けた蛇行する内部流路から構成されており、熱交入口に供給された常温の洗浄水は、この蛇行する内部流路を流れながらセラミックヒータから熱を受け取り、温水ユニット３１の出口に至るまでの間に適温に加熱される仕組みである。そのため、必要時に連続して適温の温水を供給可能であり、使用時に備えて温水を保温貯溜しておく必要性がないため、非常に効率的な温水供給手段となっている。なお本実施例においては、ヒータは熱密度に優れた板状のセラミックヒータを用いたが、シーズヒータやマイカヒータ、さらにはプリントヒータなど様々なヒータ応用が考えられることは言うまでもない。
【００２３】
さらにその下流側には温水管３４を介して切換弁３３が接続されており、この切換弁３３は先述の温水管３４が接続される入口流路３５と第１出口流路３６、第２出口流路３７、第３出口流路３８がモータ３９によって選択的に連通される構成となっている。なお、本実施例で用いた切換弁３３は入口流路３５と第１出口流路３６、第２出口流路３７、第３出口流路３８の連通面積を可変することで水路の切換に加えて選択された流路に流れる洗浄水の流量も可変可能な構成としてある。
【００２４】
この切換弁３３の下流側には、第１出口流路３６に人体洗浄ノズルのひとつであるお尻ノズル１８が、第２出口流路３７に人体洗浄ノズルのもうひとつであるビデノズル１９が、第３出口流路３８に温水を高温水および蒸気にする高温水または蒸気発生ユニット４２およびその高温水または蒸気で前記人体洗浄ノズル１８、１９の外側表面を除菌洗浄する高温水または蒸気吐出口４７が接続されている。また、お尻ノズル１８およびビデノズル１９には、当然のことながら温水ユニット３１、切換弁３３を経由して流れてくる温水を、人体を洗浄するための洗浄水として肛門もしくは女性の局部に向けて噴出する吐出口４４、４５を備えている。
【００２５】
また、図７、図８に示したように高温水または蒸気発生ユニット４２のヒータ４６下流の先端部には高温水または蒸気吐出口４７が備えてある。なお、お尻ノズル１８の吐出口４４およびビデノズル１９の吐出口４５は、人体洗浄使用時に人体の被洗浄部、つまり肛門もしくは女性の局部に向けて洗浄水を噴出する構成となっているが、高温水または蒸気吐出口４７からは図７のように人体洗浄をしていないときに、リモコン１６の除菌洗浄スイッチ２０を押すことにより、人体洗浄ノズルであるお尻ノズル１８およびビデノズル１９の吐出口の吐出口４４、４５の外側表面に高温水および蒸気が吐出され、除菌洗浄される構成となっている。人体洗浄ノズル１８、１９を除菌洗浄した湯は、便器内に流れ落ちる構成となっている。なお、人が便座に腰掛けた状態において、上記の除菌洗浄を行ったとしても、高温水または蒸気吐出口４７からの高温水および蒸気は人体にはかからないよう高温水または蒸気吐出口４７の位置および向きが決められている。
【００２６】
また、お尻ノズル１８およびビデノズル１９は、円筒状ピストン部４８、円筒状シリンダ部４９、スプリング５０の構成によって駆動される。つまり、図３、図４で示した切換弁３３の作動によって洗浄水が第１出口流路３６へ送られてくると、その水圧が円筒状ピストン部４８に作用し、スプリング５０の力に打ち勝って図８のようにお尻ノズル１８が押し出され、吐出口４４から温水が噴出する。また、切換弁３３をモータ３９で作動し第１出口流路３６を閉じると、スプリング５０の力で円筒状ピストン部４８が図７のように押し戻され、お尻ノズル１８は衛生洗浄装置１０の本体１２の内に収納された状態になるように、待機時と使用時の吐出口４４の位置可変が可能な構成となっている。ビデノズル１９も同様に第２出口流路３７を切換弁３３で開閉することにより、吐出口４５の位置を可変可能である。
【００２７】
図３、図４の実施例図では、水圧によりお尻ノズル１８およびビデノズル１９を出し入れする構成であるが、たとえばラックおよびピニオンギア（図示せず）とを噛み合わせ、モータでピニオンギアを駆動する構成により、出し入れしてもよい。
【００２８】
また、図７のようにお尻ノズル１８およびビデノズル１９が待機状態（収納状態）にある時は、お尻ノズル１８の吐出口４４、およびビデノズル１９の吐出口４５の上面に高温水または蒸気発生ユニット４２の高温水または蒸気吐出口４７が覆い被さる構成となっている。このように、人体洗浄ノズルであるお尻ノズル１８およびビデノズル１９が通常は衛生洗浄装置の本体１２の内に収納され、人体洗浄時に衛生洗浄装置の本体から突出するものであって、除菌洗浄時に高温水または蒸気吐出口４７からの高温水または蒸気が人体に当たらないように、人体洗浄ノズルであるお尻ノズル１８およびビデノズル１９が衛生洗浄装置の本体１２の内に収納状態のとき以外は除菌洗浄の運転作動を禁止する構成である。
【００２９】
次に図４、図５、図６を用いて切換弁３３について詳述する。切換弁３３はハウジング５１とハウジング５１内に回転可能に挿入された弁体５２および弁体５２を回転駆動するモータ３９によって構成される。まず、ハウジング５１には入口流路３５、第１出口流路３６、第２出口流路３７、第３出口流路３８が構成してあり、第１出口流路３６と第２出口流路３７は図４のＡ−Ａ線における断面図（図５）にて対向して位置するとともに、第３出口流路３８は図４のＢ−Ｂ線における断面図（図６）に示すとおり、前記２つの出口流路とは異なる断面位置に設けてある。次に弁体５２であるが、ハウジング５１に挿入した際に入口流路３５に常時連通する形で内部流路５３が設けてあり、また、この内部流路５３から分岐して第１の弁体出口５４、第２の弁体出口５５が構成されている。この第１の弁体出口５４はハウジング５１の第１出口流路３６および第２出口流路３７に、また第２の弁体出口５５はハウジング５１の第３出口流路３８に対応して位置が決められており、弁体５２の回転角度によって、入口流路３５と第１出口流路３６、第２出口流路３７、第３出口流路３８の連通度合いを可変できる構成となっている。なお、それぞれの流路に対して内部リークの防止、もしくは外部漏れを防止するためにシール部材としてＯリング５６を備えてあるが、これはモータの負荷を軽減するためにはＸリングやＶパッキンなどの特殊Ｏリングを用いると効果的である。さらにモータ３９であるが、ここではオープン制御でも精度よく位置決めのできる減速ギア内蔵型のステッピングモータを採用し、その出力軸を弁体５２に挿入する形で取り付けてある。本実施例ではモータ３９にはステッピングモータを採用したが、位置決めの精度さえ確保できれば、ブラシタイプの汎用ＤＣモータ等の利用も可能であるし、回転型のソレノイド等、様々なアクチュエータの応用が考えられることは言うまでもない。さらにまた、本実施例では回転型の流路切換弁を用いたが、直動型やダイヤフラムを用いたもの、さらには円盤タイプの弁体で複数流路の切換えを行うものなども容易に応用可能である。
【００３０】
以上の構成において、図３〜図９を用いて上記した高温水および蒸気で人体洗浄ノズル１８、１９を除菌洗浄する過程をもう少し詳しく説明すると、まず使用者によって除菌洗浄スイッチ２０が押されると、除菌洗浄制御手段５８が切換弁３３を駆動して温水ユニット３１と高温水または蒸気発生ユニット４２および高温水または蒸気吐出口４７が連通する状態になる。このとき温水ユニット３１のヒータと高温水または蒸気発生ユニット４２のヒータ４６に通電され、水道配管２７からの水は温水ユニット３１で４０℃程度に加熱され、さらに高温水または蒸気発生ユニット４２で６０℃程度の高温水に加熱されて、高温水または蒸気吐出口４７から人体洗浄ノズルであるお尻ノズル１８およびビデノズル１９の吐出口の吐出口４４、４５の外側表面に吐出し、人体洗浄ノズル１８、１９が前記６０℃程度の高温水で除菌洗浄される。この高温水が約３０秒間吐出後、除菌洗浄制御手段５８は切換弁３３を自動的に駆動して、切換弁３３を通過する洗浄水の流量を減少させる。高温水または蒸気発生ユニット４２のヒータ４６の加熱電力をそのままで流量の減少させたことによって、高温水または蒸気発生ユニット４２を通過する洗浄水の温度はさらに上昇して蒸気になる。この蒸気が前記した高温水と同様に高温水または蒸気吐出口４７から人体洗浄ノズル１８、１９の外側表面に約１０秒間吐出され、この蒸気の熱で人体洗浄ノズル１８、１９が除菌されるように作用する。
【００３１】
上記したように、人体を洗浄するための洗浄水を吐出する吐出口４４、４５を有する人体洗浄ノズル１８、１９と、少なくとも前記人体洗浄ノズル１８、１９に高温水と蒸気とを吐出する高温水または蒸気除菌洗浄手段４７を有する衛生洗浄装置１０の構成で、洗浄水に薬液を注入したり電気分解して薬液化したりすることなしに、水を加熱して除菌効果のある高温水および蒸気にする高温水または蒸気除菌洗浄手段４７によって人体洗浄ノズル１８、１９を前記高温水および蒸気で除菌するように作用するため、使用者は薬液という心理的不安なしに人体洗浄ノズル１８、１９を除菌できる衛生洗浄装置を提供することができる。しかも、高温水と蒸気とを使用して除菌するので、例えば高温水の流れが人体洗浄ノズル１８、１９の表面のうち十分行き届かない部分があったとしても、蒸気は人体洗浄ノズル１８、１９の表面の各部に十分到達して接触するように作用するため、高温水か蒸気のどちらかが人体洗浄ノズル１８、１９の必要部分に十分接触して、高温水と蒸気の双方が補完することができ確実に除菌することができる。
【００３２】
なお上記の説明において、除菌洗浄制御手段５８は制御器５７に組み込まれているマイクロコンピュータであるが、同様の制御機能を有するものであれば必ずしもにマイクロコンピュータに限られるものではない。また、高温水または蒸気除菌洗浄手段４７は、説明を単純化するために図３および図７の高温水または蒸気吐出口４７を代表して表現したが、詳細には高温水または蒸気発生ユニット４２と高温水または蒸気吐出口４７と除菌洗浄制御手段５８とを総合したものである。ノズル洗浄流量を制御するので微少流量まで高精度に制御でき、蒸気発生量が安定する。
【００３３】
（実施例２）
図１０は、本発明の第２実施例における衛生洗浄装置の水回路構成のブロック図である。また、図１１と図１２は同実施例における衛生洗浄装置の部分側面断面図である。
【００３４】
図１０において図３に示した実施例と異なる点は、高温水または除菌洗浄手段４７（高温水または蒸気吐出口）を水または高温水または蒸気除菌洗浄手段５９（水または高温水または蒸気吐出口）とした点である。その他は図３に示した実施例と同様であり、同一番号を付して詳細な説明を省略する。また、図１１と図１２においても図７と図８に示した実施例と異なる点は、高温水または除菌洗浄手段４７（高温水または蒸気吐出口）を水または高温水または蒸気除菌洗浄手段５９（水または高温水または蒸気吐出口）とした点である。その他は図７と図８に示した実施例と同様であり、同一番号を付して詳細な説明を省略する。
【００３５】
以上の構成において、まず使用者によって除菌洗浄スイッチ２０が押されると、除菌洗浄制御手段５８が切換弁３３を駆動して温水ユニット３１と高温水または蒸気発生ユニット４２および水または高温水または蒸気吐出口５９が連通する状態になる。このとき温水ユニット３１のヒータと高温水または蒸気発生ユニット４２のヒータ４６に通電され、水道配管２７からの水は温水ユニット３１で４０℃程度に加熱され、さらに高温水または蒸気発生ユニット４２で６０℃程度の高温水に加熱されて、水または高温水または蒸気吐出口５９から人体洗浄ノズルであるお尻ノズル１８およびビデノズル１９の吐出口の吐出口４４、４５の外側表面に吐出し、人体洗浄ノズル１８、１９が前記６０℃程度の高温水で除菌洗浄される。この高温水が約２０秒間吐出後、除菌洗浄制御手段５８は切換弁３３を自動的に駆動して、切換弁３３を通過する洗浄水の流量を減少させる。高温水または蒸気発生ユニット４２のヒータ４６の加熱電力をそのままで流量の減少させたことによって、高温水または蒸気発生ユニット４２を通過する洗浄水の温度はさらに上昇して蒸気になる。この蒸気が前記した高温水と同様に水または高温水または蒸気吐出口５９から人体洗浄ノズル１８、１９の外側表面に約１０秒間吐出され、この蒸気の熱で人体洗浄ノズル１８、１９が除菌されるように作用する。さらにその後、除菌洗浄制御手段５８は温水ユニット３１のヒータおよび高温水または蒸気発生ユニット４２のヒータ４６への通電を停止するとともに切換弁３３を自動的に駆動して、切換弁３３を通過する洗浄水の流量を増大させる。しかも温水ユニット３１のヒータおよび高温水または蒸気発生ユニット４２のヒータ４６への通電を停止し、流量の増大させたことによって、高温水または蒸気発生ユニット４２を通過する洗浄水の温度は低下して、水道配管２７からの冷たい水が勢いよく流れることになる。さらにその水は、強い勢いで水または高温水または蒸気吐出口５９から人体洗浄ノズル１８、１９の外側表面に約１０秒間吐出された後、切換弁３３および電磁弁２９によって止水される。このように、高温水や蒸気の熱で人体洗浄ノズル１８、１９を除菌した後に、高温水よりも強い勢いの水で人体洗浄ノズル１８、１９が洗浄されるので、人体洗浄ノズル１８、１９の表面の汚れは、高温水や蒸気で膨潤して結合付着力が弱まった状態になった後に勢いの強い水で洗い流されることになり、除菌だけでなく汚れも洗い落とされる。また、蒸気や高温水だけに晒されると、湯の中に含まれているカルシウム成分などが析出して、いわゆるスケール（湯垢）となって通路部や人体洗浄ノズル１８、１９に付着するなどの不具合を生じる場合もあるが、前記したように水が勢いよく通路部や人体洗浄ノズル１８、１９の表面を流れることによって、そのスケール付着を防止できる作用がある。
【００３６】
上記したように、人体を洗浄するための洗浄水を吐出する吐出口４４、４５を有する人体洗浄ノズル１８、１９と、少なくとも前記人体洗浄ノズル１８、１９に水と高温水と蒸気とを吐出する水または高温水または蒸気除菌洗浄手段５９を有する衛生洗浄装置の構成で、洗浄水に薬液を注入したり電気分解して薬液化することなしに、水を加熱して除菌効果のある高温水および蒸気にする水または高温水または蒸気除菌洗浄手段５９によって人体洗浄ノズル１８、１９を前記高温水および蒸気で除菌するように作用するため、使用者は薬液という心理的不安なしに人体洗浄ノズル１８、１９を除菌できる衛生洗浄装置を提供することができる。しかも、水と高温水と蒸気とを使用して除菌洗浄するので実施例１と同様に例えば高温水が人体洗浄ノズル１８、１９の表面で行き届かない部分があったとしても蒸気は人体洗浄ノズル１８、１９の表面の各部に十分到達して接触するように作用するため、高温水と蒸気の双方が補完し合ってより確実に除菌することができる。かつ高温水と蒸気だけでなく水を併用することにより、洗浄水の通路部を必要以上に長時間高温に保つことなく水で冷却されるので、水を高温に加熱することによって析出されるスケールが、前記通路部に堆積付着するのを軽減するように作用するため、スケール付着を抑制して耐久寿命を長くすることができる。
【００３７】
（実施例３）
図１３は、本発明の第３実施例における衛生洗浄装置の水回路構成のブロック図である。また、図１４と図１５は同実施例における衛生洗浄装置の部分側面断面図である。
【００３８】
図１３において図３に示した実施例と異なる点は、高温水または除菌洗浄手段４７（高温水または蒸気吐出口）を蒸気または水除菌洗浄手段６０（蒸気または水吐出口）とした点である。その他は図３に示した実施例と同様であり、同一番号を付して詳細な説明を省略する。また、図１４と図１５においても図７と図８に示した実施例と異なる点は、高温水または除菌洗浄手段４７（高温水または蒸気吐出口）を蒸気または水除菌洗浄手段６０（蒸気または水吐出口）とした点である。その他は図７と図８に示した実施例と同様であり、同一番号を付して詳細な説明を省略する。
【００３９】
以上の構成において、まず使用者によって除菌洗浄スイッチ２０が押されると、除菌洗浄制御手段５８が切換弁３３を駆動して温水ユニット３１と高温水または蒸気発生ユニット４２および蒸気または水吐出口６０が連通する状態になる。このとき温水ユニット３１のヒータと高温水または蒸気発生ユニット４２のヒータ４６に通電され、水道配管２７からの水は温水ユニット３１で４０℃程度に加熱され、さらに高温水または蒸気発生ユニット４２で加熱されて蒸気になり、蒸気または水吐出口６０から人体洗浄ノズルであるお尻ノズル１８およびビデノズル１９の吐出口の吐出口４４、４５の外側表面に約３０秒間吐出され、この蒸気の熱で人体洗浄ノズル１８、１９が除菌されるように作用する。さらにその後、除菌洗浄制御手段５８は温水ユニット３１のヒータおよび高温水または蒸気発生ユニット４２のヒータ４６への通電を停止するとともに切換弁３３を自動的に駆動して、切換弁３３を通過する洗浄水の流量を増大させる。しかも温水ユニット３１のヒータおよび高温水または蒸気発生ユニット４２のヒータ４６への通電を停止し、流量の増大させたことによって、高温水または蒸気発生ユニット４２を通過する洗浄水の温度は低下して、水道配管２７からの冷たい水が勢いよく流れることになる。さらにその水は、強い勢いで蒸気または水吐出口６０から人体洗浄ノズル１８、１９の外側表面に約１０秒間吐出された後、切換弁３３および電磁弁２９によって止水される。このように、蒸気の熱で人体洗浄ノズル１８、１９を除菌した後に、水で人体洗浄ノズル１８、１９が洗浄されるので、人体洗浄ノズル１８、１９の表面の汚れは、蒸気で膨潤して結合付着力が弱まった状態になった後に水で洗い流されることになり、除菌だけでなく汚れも洗い落とされる。また、蒸気だけに晒されると、水の中に含まれているカルシウム成分などが析出して、いわゆるスケール（湯垢）となって通路部や人体洗浄ノズル１８、１９に付着するなどの不具合を生じる場合もあるが、前記したように水が通路部や人体洗浄ノズル１８、１９の表面を流れることによって、そのスケール付着を防止できる作用がある。
【００４０】
上記したように、人体を洗浄するための洗浄水を吐出する吐出口４４、４５を有する人体洗浄ノズル１８、１９と、少なくとも前記人体洗浄ノズル１８、１９に蒸気吐出した後に水を吐出する蒸気または水除菌洗浄手段６０を備えているので、洗浄水に薬液を注入したり電気分解して薬液化することがなく、水を加熱して除菌効果のある蒸気にする蒸気または水除菌洗浄手段６０によって人体洗浄ノズル１８、１９を前記蒸気で除菌し、かつ蒸気によって汚れをやわらかく膨潤（ふやかす）させる。そのふやけて剥離しやすくなった汚れおよび汚れ中の雑菌を蒸気の後に吐出する水で洗浄除去するように作用するため、使用者は薬液という心理的不安なしに人体洗浄ノズル１８、１９を除菌洗浄できる衛生洗浄装置を提供することができる。
【００４１】
また、上記した実施例１〜実施例３において各除菌洗浄手段４７、５９、６０は、人体を洗浄する洗浄水を人体洗浄ノズル１８、１９に供給する経路途中の温水ユニット３１および切換弁３３の２次側でかつ前記人体洗浄ノズル１８、１９には通じない別の分岐経路に設けられた高温水または蒸気発生ユニット４２と、前記温水ユニット３１、前記切換弁３３、前記高温水または蒸気発生ユニット４２への通電制御により水または高温水または蒸気のいずれかの状態に準時切替えて除菌洗浄する除菌洗浄制御手段４７、５９、６０を備えた構成である。この構成により、高温水または蒸気発生ユニット４２は人体洗浄ノズル１８、１９に通じる経路３６、３７には通じない別の分岐経路３８に設けられているため、高温水や蒸気が人体洗浄ノズル１８、１９から吐出して人体に当ることがなく、安心して人体洗浄ノズル１８、１９の表面を除菌洗浄することができる。また、洗浄水を人体洗浄ノズル１８、１９に供給する経路３５、３６、３７を構成する材料や途中の温水ユニット４２、および切換弁３３の構成材料は特別な耐熱材料にする必要がない。
【００４２】
また、上記した実施例１〜実施例３において人体洗浄ノズル１８、１９が通常は衛生洗浄装置１０の本体１２の内に収納され、人体洗浄時に衛生洗浄装置１０の本体１２から突出するものであって、除菌洗浄時に吐出口４７、５９、６０からの蒸気や高温水が人体に当たらないように、前記人体洗浄ノズル１８、１９が衛生洗浄装置１０の本体１２の内に収納状態のとき以外は除菌洗浄の運転作動を禁止する構成である。すなわち、使用者が人体洗浄ノズル１８、１９で人体洗浄しているとき、誤ってリモコン１６の除菌洗浄を指示する操作ボタン（除菌スイッチ２０）を押しても、制御器５７は除菌洗浄の運転作動はしないように作用する。つまり、人体洗浄ノズル１８、１９が衛生洗浄装置１０の本体１２の内に収納されている状態のときだけしか除菌スイッチ２０の信号は受け付けられない構成である。この構成により、使用者はやけどなどの心配が無く安心して使用することができる。
【００４３】
上記したように、人体洗浄ノズル１８、１９が通常は衛生洗浄装置１０の本体１２の内に収納され、人体洗浄時に衛生洗浄装置１０の本体１２から突出するものであって、除菌洗浄時に蒸気や高温水が人体に当たらないように、前記人体洗浄ノズル１８、１９が衛生洗浄装置１０の本体１２の内に収納状態のとき以外は除菌洗浄の運転作動を禁止する構成である。この構成により、使用者が人体洗浄ノズル１８、１９で人体洗浄しているとき、例えば誤って除菌洗浄を指示する操作ボタン（除菌スイッチ２０）を押しても、除菌洗浄の運転作動はしないため、使用者はやけどなどの心配が無く安心して使用することができる。
【００４４】
【発明の効果】
以上のように、本発明によれば、人体を洗浄するための洗浄水を吐出する人体洗浄ノズルと、その人体洗浄ノズルに高温水と蒸気とを吐出して除菌洗浄する高温水または蒸気除菌洗浄手段によって、薬液という心理的不安なしに人体洗浄ノズルを除菌できる衛生洗浄装置を提供することができる。
【図面の簡単な説明】
【図１】本発明の実施例１における衛生洗浄装置の外観斜視図
【図２】同実施例１における衛生洗浄装置のリモコンの平面図
【図３】同実施例１における衛生洗浄装置の水回路構成のブロック図
【図４】同実施例１における衛生洗浄装置の切換弁の正面断面図
【図５】同実施例１における衛生洗浄装置の切換弁の平面断面図
【図６】同実施例１における衛生洗浄装置の切換弁の平面断面図
【図７】同実施例１における衛生洗浄装置の部分側面断面図
【図８】同実施例１における衛生洗浄装置の部分側面断面図
【図９】同実施例１における衛生洗浄装置の高温水または蒸気発生ユニットの外観斜視図
【図１０】同実施例２における衛生洗浄装置の水回路構成のブロック図
【図１１】同実施例２における衛生洗浄装置の部分側面断面図
【図１２】同実施例２における衛生洗浄装置の部分側面断面図
【図１３】同実施例３における衛生洗浄装置の水回路構成のブロック図
【図１４】同実施例３における衛生洗浄装置の部分側面断面図
【図１５】同実施例３における衛生洗浄装置の部分側面断面図
【図１６】従来の衛生洗浄装置の概略構成図
【図１７】従来の衛生洗浄装置の概略構成図
【符号の説明】
１０  衛生洗浄装置
１２  衛生洗浄装置の本体
１８  人体洗浄ノズル（お尻ノズル）
１９  人体洗浄ノズル（ビデノズル）
２０  除菌洗浄スイッチ
３１  温水ユニット
３３  切換弁
４２  高温水または蒸気発生ユニット
４７  高温水または蒸気除菌洗浄手段（高温水または蒸気吐出口）
５７  制御器
５８  除菌洗浄制御手段
５９  水または高温水または蒸気除菌洗浄手段（水または高温水または蒸気吐出口）
６０  蒸気または水除菌洗浄手段（蒸気または水吐出口）
【図１】
2004285730.tif 000003
【図２】
2004285730.tif 000004
【図３】
2004285730.tif 000005
【図４】
2004285730.tif 000006
【図５】
2004285730.tif 000007
【図６】
2004285730.tif 000008
【図７】
2004285730.tif 000009
【図８】
2004285730.tif 000010
【図９】
2004285730.tif 000011
【図１０】
2004285730.tif 000012
【図１１】
2004285730.tif 000013
【図１２】
2004285730.tif 000014
【図１３】
2004285730.tif 000015
【図１４】
2004285730.tif 000016
【図１５】
2004285730.tif 000017
【図１６】
2004285730.tif 000018
【図１７】
2004285730.tif 000019